(57)【特許請求の範囲】
【請求項１】
着座用の座板が支持部材に支持された離着座補助装置において、
互いに対向した一方の部材に平面が形成され、他方の部材に前記平面側へ膨出する曲面が形成されるとともに、前記平面に前記曲面が接触された状態で、前記一方の部材に対する前記他方の部材の傾斜角度が変更自在な傾動機構を形成し、該傾動機構により前記座板の前縁部が後縁部より低い傾斜状態を形成可能に構成したことを特徴とする離着座補助装置。
【請求項２】
フレームを形成する椅子本体に着座用の座板が設けられ、該座板の後部側に背凭れが設けられた椅子において、
互いに対向した一方の部材に平面が形成され、他方の部材に前記平面側へ膨出する曲面が形成されるとともに、前記平面に前記曲面が接触された状態で、前記一方の部材に対する前記他方の部材の傾斜角度が変更自在な傾動機構を形成し、該傾動機構により前記座板の前縁部が後縁部より低い傾斜状態を形成可能に構成したことを特徴とする椅子。
【請求項３】
フレームを形成する椅子本体に着座用の座板が設けられ、該座板の後部側に背凭れが設けられた椅子において、
前記椅子本体に、前端部が下方へ屈曲した屈曲面が上面に形成された支持部材を設けるとともに、前記座板を、前記支持部材の前記上面に接触させた状態で揺動自在に支持し、前記座板の前縁部が後縁部より低い傾斜状態を形成可能に構成したことを特徴とする椅子。
【請求項４】
前記椅子本体は、前部を支持する前脚部及び後部を支持する後脚部を備え、前記支持部材を、前記前脚部と前記後脚部とを連結して前記椅子本体を形成する本体構成部材により構成したことを特徴とする請求項３記載の椅子。
【請求項５】
前記座板の両脇に位置するアームレストを前記椅子本体に設けたことを特徴とする請求項３または４記載の椅子。
【請求項６】
前記座板の裏面に、当該座板の重心位置を変更するバランサーを設けたことを特徴とする請求項３、４または５記載の椅子。
【発明の詳細な説明】
【０００１】
【発明の属する技術分野】
本発明は、離着座時の負担を軽減することができる離着座補助装置及び椅子に関する。
【０００２】
【従来の技術】
従来、高齢者や身障者の離着座を補助する際には、図１２に示すような補助座椅子１０１が用いられていた（特開平９−２０６１６０号公報参照）。
【０００３】
この補助座椅子１０１は、椅子の座面に載置され使用されるものであり、前記座面に載置される基板１０５と、該基板１０５の前端部の幅方向に沿って配設されたナイトハルトゴムばね１０６と、該ナイトハルトゴムばね１０６を介して支持された座板１０７とにより構成されている。前記ナイトハルトゴムばね１０７は、前記基板１０５に固定される金属製の外殻筒１０８と、該外殻筒１０８内に収容された芯軸１０９とにより構成されており、前記外殻筒１０８内の四隅には、円柱形ゴム材１１０が圧入されている。そして、前記座板１０７の裏面には、ストパー１１１が設けられており、該ストッパー１１１が前記基板１０５に当接することにより、前記座板１０７への荷重を支持できるように構成されている。
【０００４】
これにより、前記座板１０７には、前記ナイトハルトゴムばね１０６の弾発許容範囲で、前記基板１０５に対する傾斜揺動性と減衰性が付与されるように構成されており、着座時には臀部を安定的に導くとともに、離座時には臀部の持ち上げを補助できるように構成されている。
【０００５】
【発明が解決しようとする課題】
しかしながら、前記補助座椅子１０１にあっては、臀部の離着座を補助する補助力を、ナイトハルトゴムばね１０６のばね力に依存している。このため、該ナイトハルトゴムばね１０６内の円柱形ゴム１１０，・・・が経時的な劣化によりへたると、前記ばね力が低下してしまい、離着座時の補助性能が低下してしまうという問題点があった。
【０００６】
本発明は、このような従来の課題に鑑みてなされたものであり、離着座時の補助効果を長期にわたり保持することができる離着座補助装置及び椅子を提供することを目的とする。
【０００７】
【課題を解決するための手段】
前記課題を解決するために本発明の請求項１の離着座補助装置にあっては、着座用の座板が支持部材に支持された離着座補助装置において、互いに対向した一方の部材に平面が形成され、他方の部材に前記平面側へ膨出する曲面が形成されるとともに、前記平面に前記曲面が接触された状態で、前記一方の部材に対する前記他方の部材の傾斜角度が変更自在な傾動機構を形成し、該傾動機構により前記座板の前縁部が後縁部より低い傾斜状態を形成可能に構成した。
【０００８】
すなわち、本発明の離着座補助装置を、例えば、通常の椅子で使用する際には、該椅子の座面に前記離着座補助装置を載置し、該離着座補助装置の座板に腰を下ろす。このとき、初期段階において、着座者の臀部は、傾斜した状態で座板に当接するが、該座板は、傾動機構により前縁部が後縁部より低い傾斜状態を形成できる。このため、当該座板が前記傾斜状態となることにより、臀部との密着性が確保される。
【０００９】
そして、前記傾動機構は、互いに対向した一方の部材に形成された平面と、他方の部材に形成された曲面との接触状態により、前記一方の部材に対する前記他方の部材の角度を可変させる構造を有しており、前記座板は、前記両部材の支持関係が維持された状態で、その傾角が可変される。これにより、着座時において、体重移動することにより、前記座板の傾角が可変される。
【００１０】
一方、着座状態から立ち上がる際には、前記座板上にて体重を前方へ移動する。すると、前記座板は、後縁部が前端部より高い傾斜状態となるので、着座者は、その臀部が、前記座板に密着した状態で押し上げられるとともに、前方へ押圧される。
【００１１】
また、請求項２の椅子にあっては、フレームを形成する椅子本体に着座用の座板が設けられ、該座板の後部側に背凭れが設けられた椅子において、互いに対向した一方の部材に平面が形成され、他方の部材に前記平面側へ膨出する曲面が形成されるとともに、前記平面に前記曲面が接触された状態で、前記一方の部材に対する前記他方の部材の傾斜角度が変更自在な傾動機構を形成し、該傾動機構により前記座板の前縁部が後縁部より低い傾斜状態を形成可能に構成した。
【００１２】
すなわち、本発明の椅子の座板に腰を下ろす際には、初期段階において、着座者の臀部は、傾斜した状態で座板に当接するが、該座板は、傾動機構により前縁部が後縁部より低い傾斜状態を形成できる。このため、当該座板が前記傾斜状態となることにより、臀部との密着性が確保される。
【００１３】
そして、前記傾動機構は、互いに対向した一方の部材に形成された平面と、他方の部材に形成された曲面との接触状態により、前記一方の部材に対する前記他方の部材の角度を可変させる構造を有しており、前記座板は、前記両部材の支持関係が維持された状態で、その傾角が可変される。これにより、着座時において、体重移動することにより、前記座板の傾角が可変される。
【００１４】
一方、着座状態から立ち上がる際には、前記座板上にて体重を前方へ移動する。すると、前記座板は、後縁部が前端部より高い傾斜状態となるので、着座者は、その臀部が、前記座板に密着した状態で押し上げられるとともに、前方へ押圧される。
【００１５】
さらに、請求項３の椅子にあっては、フレームを形成する椅子本体に着座用の座板が設けられ、該座板の後部側に背凭れが設けられた椅子において、前記椅子本体に、前端部が下方へ屈曲した屈曲面が上面に形成された支持部材を設けるとともに、前記座板を、前記支持部材の前記上面に接触させた状態で揺動自在に支持し、前記座板の前縁部が後縁部より低い傾斜状態を形成可能に構成した。
【００１６】
すなわち、本発明の椅子の座板に腰を下ろす際には、初期段階において、着座者の臀部は、傾斜した状態で座板に当接するが、前記座板は、その前縁部が後縁部より低い傾斜状態を形成できる。このため、当該座板が前記傾斜状態となることにより、臀部との密着性が確保される。
【００１７】
そして、この座板は、椅子本体に設けられるとともに、前端部が下方へ屈曲した屈曲面が上面に形成された支持部材の前記上面に接触した状態で揺動自在に支持されており、前記座板は、前記支持部材との支持関係が維持された状態で、その傾角が可変される。これにより、着座時において、体重移動することにより、前記座板の傾角が可変される。
【００１８】
一方、着座状態から立ち上がる際には、前記座板上にて体重を前方へ移動する。すると、前記座板は、下方へ屈曲する屈曲面が形成された前記支持部材の前端部に位置した状態で、後縁部が前端部より高い傾斜状態となるので、着座者は、その臀部が、前記座板に密着した状態で押し上げられるとともに、前方へ押圧される。
【００１９】
また、請求項４の椅子においては、前記椅子本体は、前部を支持する前脚部及び後部を支持する後脚部を備え、前記支持部材を、前記前脚部と前記後脚部とを連結して前記椅子本体を形成する本体構成部材により構成した。
【００２０】
すなわち、前記支持部材を、前脚部と後脚部とを連結して椅子本体を形成する本体構成部材により構成することにより、前記座板を傾斜させる前記支持部材と本体構成部材との共有化が図られる。
【００２１】
さらに、請求項５の椅子では、前記座板の両脇に位置するアームレストを前記椅子本体に設けた。
【００２２】
すなわち、アームレストは、前記座板の両脇に配置されているので、着座時の補助として利用される。また、前記アームレストは、前記椅子本体に設けられているので、前記座板の傾動に伴う変位が防止される。
【００２３】
加えて、請求項６の椅子にあっては、前記座板の裏面に、当該座板の重心位置を変更するバランサーを設けた。
【００２４】
これにより、バランサーにより座板の重心位置が可変されることにより、無荷重時における座板の傾角が調整される。
【００２５】
【実施の形態】
（第１の実施の形態）
以下、本発明の第１の実施の形態を図面にしたがって説明する。図１は、本実施の形態にかかる木製の椅子１を示す図であり、離着座補助装置を構成する部分が分解された状態が示されている。
【００２６】
この椅子１のフレームを形成する椅子本体５は、木製の左及び右前足６，７と左及び右後足８，９とを備えている。前記左前足６と右前足７とは、中途部が前貫１０によって連結されており、椅子本体５の前部を支持する前脚部１１が形成されている。前記左後足８と右後足９とは、中途部が後貫１２によって連結されており、椅子本体５の後部を支持する後脚部１３が形成されている。
【００２７】
前記左前足６の上端部は、左折曲部２１を介して後方へ向けて延出するとともに、前記左後足８の上部に固定されており、左アームレスト２２を形成している。また、前記右前足７の上端部も、右折曲部２３を介して後方へ向けて延出するとともに、前記右後足９の上部に固定されており、右アームレスト２４を形成している。さらに、前記左右後足８，９は、前記左右アームレスト２２，２４が固定された部位より斜め後方へ延出しており、これら左右延出部２５，２６には、後方へ突出した湾曲板からなる背板２７が固定され、背凭れ２８が形成されている。そして、前記前脚部１１を形成する前貫１０と前記後脚部１３を形成する後貫１２との間には、図２にも示すように、椅子本体５の構成部材を成す支持部材としての左右側貫３０，３１が架橋されており、両側貫３０，３１によって着座用の座板３２が支持されている。
【００２８】
該座板３２は、図３にも示すように、矩形状に形成された板材により形成されており、表面はカバーにより覆われているとともに、裏面４２は平面を形成している。該裏面４２には、左右の部位にゴム製の左右ブラケット４３，４４がネジ止めされており、両ブラケット４３，４４には、左右に貫通するとともに円弧状に形成された長穴４５，４５が設けられている（図１及び図２参照）。また、前記座板３２の裏面４２には、前記両ブラケット４３，４４の中間部位に、バランサー４６が設けられている。
【００２９】
該バランサー４６は、当該バランサー４６を前記座面３２に固定する固定部５１と、該固定部５１より突出したネジが挿通されるスリット５２を有するとともに、蝶ナット５３によって固定された長尺状のアーム５４と、該アーム５４の一端部に設けられた重り５５とにより構成されている。これにより、前記アーム５４をスライドさせ、前記重り５５の位置を移動させることにより、前記座板３２の重心位置を可変できるように構成されている。
【００３０】
また、前記左右側貫３０，３１は、図２に示したように、木製の角材からなり、その前端部には、下方へ向けて屈曲した屈曲部６１，６１が形成されている。両屈曲部６１，６１には、左右へ貫通した貫通穴６２，６２が設けられており、両貫通穴６２，６２は、図１に示したように、前記両側貫３０，３１の内側に配置される前記両ブラケット４３，４４の長穴４５，４５と合致する位置に設定されている。これにより、先端部にネジ山が形成されたボルト６５を、前記左側貫側３０より挿通させるとともに、前記右側貫３１より貫通させた状態でナット６６を締結することにより、前記座板３２を、前記左右側貫３０，３１の上面６７，６７に接触させた状態で揺動自在に支持できるように構成されている。
【００３１】
そして、前記左右側貫３０，３１には、図４（左側貫３０のみ図示）にも示すように、前記屈曲部６１と、該屈曲部６１を境にした前方側の前方部７１と、後方側の後方部７２とが形成され、左右側貫３０，３１の上面６７には、前記前方部７１上の前部平滑面７５、前記屈曲部６１上の屈曲面７６、及び前記後方部７２上の後部平滑面７７が形成されている。この左右側貫３０，３１は、前記後部平滑面７７が後方へ向かうに従って下方へ傾斜する状態で固定されている。
【００３２】
これにより、前記座板３２は、その裏面４２が前記前部平滑面７５に面接し、前縁部が後縁部より低くなるように傾斜した離着座状態８１（図４中実線にて図示）と、前記後部平滑面７７に面接し、後端部が前端部より低くなるように傾斜した後傾状態８２（図４中二点鎖線で図示）とを形成可能に構成されている。さらに、前記座板３２は、その裏面４２が前記屈曲面７６に面接し、前記離着座状態８１と前記後傾状態８２との間に位置する状態、具体的には、水平を保持された水平状態８３（図４中一点鎖線で図示）や、着座者の背筋が伸びるような角度で傾斜した前傾状態８４（図４中破線で図示）を形成可能に構成されている。このように、前記座板３２の裏面４２と前記各側貫３０，３１の上面６７，６７とによって、座板３２を傾動する傾動機構８５が形成されている。
【００３３】
以上の構成にかかる本実施の形態において、前記椅子１を使用する際には、座板３２の裏面４２に設けられたバランサー４６により座板３２の重心位置を調整して、非着座時において前記座板３２が、図４にて実線で示した離着座状態８１となるように調整する。これにより、着座時の初期段階において、図５に示すように、傾斜した状態となる着座者１０１の臀部１０２と前記座板３２との距離を接近させることができるので、着座時における不安を解消することができる。
【００３４】
また、前記椅子１は、前記座板３２の両脇に左右アームレスト２２，２４を備えており、着座者１０１は、これらアームレスト２２，２４に手を掛けて着座することができる。このとき、各アームレスト２２，２４は、椅子本体５を構成する左右前足６，７により形成されているので、着座時に、アームレスト２２，２４が座板３２と共に傾動してしまうロッキングチェアと比較して、着座の容易性を高めることができる。
【００３５】
そして、この椅子１に腰を下ろす際には、着座者１０１の臀部１０２と傾斜された前記座板３２との密着性を確保することができるので、座面が水平に保たれた通常の椅子へ腰を下ろす場合と比較して、着座者１０１を安定的に着座状態へ導くことができる。一方、着座状態から立ち上がる際には、前記座板３２上にて体重を前方へ移動することにより、前記座板３２を、図４にて実線で示した離着座状態８１を容易に形成することができる。これにより、着座者１０１の臀部１０２を、前記座板３２に密着した状態で押し上げることができるとともに、前方へ押し出す働きをも得ることができる。したがって、座板３２の傾角を可変する機構がナイトハルトゴムばねにより構成され、該ナイトハルトゴムばねに内蔵された円柱形ゴムの経時的な劣化等により、離着座時の臀部１０２への補助効果が低下してしまう従来と比較して、離着座時の補助効果を長期にわたり保持することができる。
【００３６】
また、この座板３２は、椅子本体５に設けられるとともに、下方へ屈曲した屈曲面７６が前端部に形成された左右側貫３０，３１の上面６７に接触した状態で揺動自在に支持されており、前記座板３２は、両側貫３０，３１との支持関係が維持された状態で、その傾角が可変される。このため、座板３２が傾倒して座板３２の裏面に設けられたストッパーが当接した際のみに、当該座板３２が支持される従来と比較して、体重移動により前記座板３２を任意の角度に維持することができる。
【００３７】
具体的には、体重を後方へ移動して前記座板３２を、図４中で二点鎖線で示した後傾状態８２にすることにより、図６に示すように、背凭れ２８に寄り掛かった休息性の高い姿勢に保つことができる。また、体重をやや前方へ移動して座板３２を、図４中で一点鎖線で示した水平状態８３にすることにより、図７に示すように、着座者１０１の体をテーブル側へ寄せて食事をする等、作業性の高い姿勢に保つことができる。加えて、体重をさらに前方へ移動して座板３２を、図４中で破線で示した前傾状態８４にすることにより、図８に示すように、パソコンのキーボードを操作する等、着座者１０１の背筋が自然に伸びるような姿勢に保つことができる。
【００３８】
一方、前記座板３２の傾動機構８５を構成する前記各側貫３０，３１は、図１に示したように、前記椅子本体５を構成する一部材なので、本体構成部材との共有化を図ることができる。これにより、製造コストを押さえることができる。
【００３９】
なお、本実施の形態にあっては、座板３２の裏面４２を平面とするとともに、左右側貫３０，３１の上面６７，６７に屈曲面７６，７６を形成した場合を例に挙げて説明したが、座板３２の裏面４２に曲面を形成し、かつ前記側貫３０，３１の上面６７，６７を平面としても良い。
【００４０】
（第２の実施の形態）
図９及び図１０は、第２の実施の形態を示す図であり、第１の実施の形態と異なる部分のみについて説明する。
【００４１】
すなわち、左右側貫３０，３１の内側面１１１には、外側面１１２へ貫通しない凹部１１３が設けられており、該凹部１１３には、短ロッド１１４及びカバー１１５からなるジョインター１１６が突出した状態で挿入されている。
【００４２】
これにより、前記各側貫３０，３１の外側面１１２の外観品質を高めることができる。
【００４３】
（第３の実施の形態）
図１１は、第３の実施の形態を示す図であり、第１の実施の形態と異なる部分のみについて説明する。
【００４４】
すなわち、座板３２の裏面４２には、内側へ後退する取付部１２１が形成されており、該取付部１２１は、外面側の小径部１２２と、内側の大径部１２３とにより形成されている。この取付部１２１には、第１の実施の形態における左右ブラケット４３，４４に相当する鋼材あるいは樹脂により形成されたクリップ１２４が取り付けられている。該クリップ１２４は弾性を有し、両足部１２５，１２６を挟持して前記取付部１２１の小径部１２２より大径部１２３内へ挿入した後、手を離すことによって、両足部１２５，１２６が広がるとともに、両足１２５，１２６先端のフランジ１２７，１２７が、前記小径部１２２と前記大径部１２３との段差１２８に係止されるように構成されている。
【００４５】
このため、前記座板３２への前記クリップ１２４の取付が容易となり、組み立てやすい椅子１となる。また、前記クリップ１２４は、取り外しも容易なので、座板に設けられたカバーの洗濯など容易となる。
【００４６】
【発明の効果】
以上説明したように本発明の請求項１の着座補助装置にあっては、着座時において、傾動機構によって座板を前縁部が後縁部より低い傾斜状態にすることができるので、着座時の初期段階において、傾斜した状態で座板に当接する着座者の臀部と前記座板との密着性を確保することができる。このため、座面が水平に保たれた通常の椅子へ腰を下ろす場合と比較して、前記座板を着座者の臀部に近づけることができるとともに、着座者を、安定的に着座状態へ導くことができる。また、着座状態から立ち上がる際には、前記座板上にて体重を前方へ移動することにより、前記座板の後縁部が前端部より高い傾斜状態を形成することができる。このため、着座者の臀部を、前記座板に密着した状態で押し上げることができるとともに、前方へ押し出す働きをも得ることができる。したがって、座板の傾角を可変する機構がナイトハルトゴムばねにより構成され、該ナイトハルトゴムばねに内蔵された円柱形ゴムの経時的な劣化等により、離着座時の臀部への補助効果が低下してしまう従来と比較して、離着座時の補助効果を長期にわたり保持することができる。
【００４７】
そして、前記傾動機構は、互いに対向した一方の部材に形成された平面と、他方の部材に形成された曲面との接触状態により、前記一方の部材に対する前記他方の部材の角度を可変させる構造を有しており、前記座板は、前記両部材の支持関係が常に維持された状態で傾角が可変される。このため、座板が傾倒して座板の裏面に設けられたストッパーが当接した際のみに、前記座板が支持される従来と比較して、体重移動により前記座板を任意の角度に維持することができる。
【００４８】
また、請求項２の椅子にあっても前述の傾動機構を用いることにより、請求項１を同様に、着座時において、着座者を安定的に着座状態へ導くことができるとともに、着座状態から立ち上がる際には、着座者の臀部を押し上げ、かつ前方へ押し出す効果を奏することができ、離着座時の補助効果を長期にわたり保持することができる。
【００４９】
そして、前記座板は、請求項１と同様に、前記傾動機構における互いに対向した一方の部材に形成された平面と、他方の部材に形成された曲面との支持関係が常に維持された状態で傾角が可変されることから、体重移動により前記座板を任意の角度に維持することができる。
【００５０】
さらに、請求項３の椅子にあっては、着座時において、座板を、その前縁部が後縁部より低い傾斜状態に形成できるので、着座時の初期段階において、傾斜した状態で座板に当接する着座者の臀部と前記座板との密着性を確保することができる。このため、座面が水平に保たれた通常の椅子へ腰を下ろす場合と比較して、前記座板を着座者の臀部に近づけることができるとともに、着座者を、安定的に着座状態へ導くことができる。また、着座状態から立ち上がる際には、前記座板上にて体重を前方へ移動することにより、前記座板を、下方へ屈曲する屈曲面が形成された前記支持部材の前端部にて、後縁部が前端部より高い傾斜状態をすることができるので、着座者の臀部を、前記座板に密着した状態で押し上げることができるとともに、前方へ押し出す働きをも得ることができる。
【００５１】
したがって、請求項１の場合と同様に、座板の傾角を可変する機構がナイトハルトゴムばねにより構成され、該ナイトハルトゴムばねに内蔵された円柱形ゴムの経時的な劣化等により、離着座時の臀部への補助効果が低下してしまう従来と比較して、離着座時の補助効果を長期にわたり保持することができる。
【００５２】
そして、この座板は、椅子本体に設けられるとともに、下方へ屈曲した屈曲面が前端部に形成された支持部材の上面に接触した状態で揺動自在に支持されており、前記座板は、前記支持部材との支持関係が維持された状態で、その傾角が可変される。このため、座板が傾倒して座板の裏面に設けられたストッパーが当接した際のみに、前記座板が支持される従来と比較して、体重移動により前記座板を任意の角度に維持することができる。
【００５３】
また、請求項４の椅子においては、前記支持部材を、前脚部と後脚部とを連結して椅子本体を形成する本体構成部材により構成することにより、前記座板を傾斜させる前記支持部材と本体構成部材との共有化を図ることができる。これにより、製造コストを押さえることができる。
【００５４】
さらに、請求項５の椅子では、座板の両脇に配置されたアームレストを、着座時の補助として利用することができる。そして、このアームレストは、前記椅子本体に設けられているので、前記座板の傾動に伴う変位が防止される。よって、着座する際にアームレストも傾動してしまうロッキングチェアと比較して、着座の容易性を高めることができる。
【００５５】
加えて、請求項６の椅子にあっては、座板裏面のバランサーにより座板の重心位置を可変することにより、無荷重時における座板の傾角を調整することができる。これにより、非着座時において、予め前記座板を、その前縁部が後縁部より低い傾斜状態に維持しておくことが可能となり、着座時の不安解消効果をさらに高めることができる。
【００５６】
【図面の簡単な説明】
【図１】本発明の第１の実施の形態の要部を分解した状態を示す斜視図である。
【図２】図１の要部を示す拡大図である。
【図３】同実施の形態の座板を示す底面図である。
【図４】同実施の形態の座板の傾動状態を示す側面図である。
【図５】同実施の形態の座板が離着座状態に維持された状態を示す斜視図である。
【図６】同実施の形態の座板が後傾状態に維持された状態を示す斜視図である。
【図７】同実施の形態の座板が水平状態に維持された状態を示す斜視図である。
【図８】同実施の形態の座板が前傾状態に維持された状態を示す斜視図である。
【図９】本発明の第２の実施の形態を示す斜視図である。
【図１０】同実施の形態の要部を示す分解斜視図である。
【図１１】本発明の第３の実施の形態を示す断面図である。
【図１２】従来の補助座椅子を示す断面図である。
【符号の説明】
１    椅子
５    椅子本体
１１    前脚部
１３    後脚部
２２    左アームレスト
２４    右アームレスト
２８    背凭れ
３０    左側貫（支持部材）
３１    右側貫（支持部材）
３２    座板
４２    裏面
４６    バランサー
６１    屈曲部
６７    上面
７６    屈曲面
８１    着座状態
８５    傾動機構
【図１】
0004173221.tif 000002
【図２】
0004173221.tif 000003
【図３】
0004173221.tif 000004
【図４】
0004173221.tif 000005
【図５】
0004173221.tif 000006
【図６】
0004173221.tif 000007
【図７】
0004173221.tif 000008
【図８】
0004173221.tif 000009
【図９】
0004173221.tif 000010
【図１０】
0004173221.tif 000011
【図１１】
0004173221.tif 000012
【図１２】
0004173221.tif 000013